(57)【特許請求の範囲】
【請求項１】
遊技に関する複数の電子部品が設置可能な基板を備え、
前記基板には、複数の電子部品が設置される設置領域を特定可能な領域情報が示されており、前記設置領域に設置される前記複数の電子部品の位置関係を特定可能なように前記複数の電子部品のそれぞれに関する部品情報がまとめて示されており、
前記基板には、前記部品情報がまとめて示されている部品情報領域があり、
前記部品情報領域において、前記設置領域に設置される複数の電子部品の位置関係と対応する領域に前記部品情報が示されており、
前記基板には、前記複数の電子部品が設置される設置領域と、前記部品情報がまとめて示されている部品情報領域とを対応付ける対応情報が示されており、
前記基板には、当該基板に所定の部品を取り付ける取付部材が実装され、
前記取付部材は、前記基板と前記所定の部品とを導電可能とし、
前記取付部材の設置位置には、前記取付部材の外縁に沿う第１印刷部と当該第１印刷部よりも外側に第２印刷部とがあり、
前記取付部材の設置位置に前記取付部材を実装した際には、当該取付部材と前記第１印刷部とが重なり、実装された前記取付部材に前記所定の部品を取り付けることで前記第１印刷部は視認し難くなる一方で、前記第２印刷部は前記取付部材の設置位置に前記取付部材を実装するとともに実装された前記取付部材に前記所定の部品を取り付けた場合であっても視認可能であることを特徴とする遊技機。
【発明の詳細な説明】
【技術分野】
【０００１】
本発明は、遊技機に関するものである。
【背景技術】
【０００２】
従来、遊技機では、図柄を変動させて行う図柄変動ゲームが行われ、その結果、有利条件が成立すると、遊技者に有利な有利状態が生起される。また、有利状態が生起される期待度を示す演出が実行されることによって、有利状態が生起されることに対する期待感を高揚させている。
【０００３】
このような遊技機では、例えば、特許文献１に示すように、機裏面側に、遊技機に関する制御を行うための各種の制御基板が配置されている。各種の制御基板は、基板と、基板に設置された複数の電子部品とを含むように構成されている。このような各種の制御基板には、例えば、図柄変動ゲームのゲーム結果に関する制御を行う主制御基板や、ゲーム結果に関連する演出を実行させる演出制御基板などがある。
【先行技術文献】
【特許文献】
【０００４】
【特許文献１】特開２００９−５６０号公報
【発明の概要】
【発明が解決しようとする課題】
【０００５】
しかしながら、このような遊技機において、基板には複数の電子部品が設置されることとなるが、電子部品を誤って設置してしまうおそれがあり、電子部品の誤設置を抑制することが望まれている。
【０００６】
この発明は、このような従来の技術に存在する問題点に着目してなされたものであり、その目的は、電子部品の誤設置を抑制することができる遊技機を提供することにある。
【課題を解決するための手段】
【０００７】
上記問題点を解決する遊技機は、遊技に関する複数の電子部品が設置可能な基板を備え、前記基板には、複数の電子部品が設置される設置領域を特定可能な領域情報が示されており、前記設置領域に設置される前記複数の電子部品の位置関係を特定可能なように前記複数の電子部品のそれぞれに関する部品情報がまとめて示されていることを要旨とする。
【０００８】
上記遊技機について、前記基板には、前記部品情報がまとめて示されている部品情報領域があり、前記部品情報領域において、前記設置領域に設置される複数の電子部品の位置関係と対応する領域に前記部品情報が示されている構成としてもよい。
【０００９】
上記遊技機について、前記基板には、前記複数の電子部品が設置される設置領域と、前記部品情報がまとめて示されている部品情報領域とを対応付ける対応情報が示されている構成としてもよい。
上記遊技機について、前記基板には、当該基板に所定の部品を取り付ける取付部材が実装され、前記取付部材は、前記基板と前記所定の部品とを導電可能とし、前記取付部材の設置位置には、前記取付部材の外縁に沿う第１印刷部と当該第１印刷部よりも外側に第２印刷部とがあり、前記取付部材の設置位置に前記取付部材を実装した際には、当該取付部材と前記第１印刷部とが重なり、実装された前記取付部材に前記所定の部品を取り付けることで前記第１印刷部は視認し難くなる一方で、前記第２印刷部は前記取付部材の設置位置に前記取付部材を実装するとともに実装された前記取付部材に前記所定の部品を取り付けた場合であっても視認可能である構成としてもよい。
【発明の効果】
【００１０】
本発明によれば、電子部品の誤設置を抑制することができる。
【図面の簡単な説明】
【００１１】
【図１】パチンコ遊技機を示す図。
【図２】パチンコ遊技機の電気的構成を示す図。
【図３】主制御基板を示す図。
【図４】主制御基板を示す図。
【図５】主制御基板を示す図。
【図６】（ａ）〜（ｅ）は、基板本体の各種情報を示す図。
【発明を実施するための形態】
【００１２】
以下、遊技機としてのパチンコ遊技機の一実施形態を説明する。
図１に示すように、パチンコ遊技機には、遊技盤ＹＢが設けられている。パチンコ遊技機には、発射ハンドルＨＤが設けられており、発射ハンドルＨＤの回動動作に応じて遊技盤ＹＢへ遊技球が発射可能となる。パチンコ遊技機には、装飾ランプＬＡ及びスピーカＳＰが設けられている。
【００１３】
遊技盤ＹＢには、複数の発光部を有する第１特別図柄表示装置１１が設けられている。第１特別図柄表示装置１１では、複数種類の特別図柄（第１特別図柄、第１図柄）を変動させて表示する変動ゲーム（図柄変動ゲーム、第１図柄変動ゲーム）が行われる。以下の説明では、単に「第１変動ゲーム」と示す場合、第１特別図柄表示装置１１で行われる変動ゲームを指すものとする。
【００１４】
遊技盤ＹＢには、複数の発光部を有する第２特別図柄表示装置１２が設けられている。第２特別図柄表示装置１２では、複数種類の特別図柄（第２特別図柄、第２図柄）を変動させて表示する変動ゲーム（図柄変動ゲーム、第２図柄変動ゲーム）が行われる。以下の説明では、単に「第２変動ゲーム」と示す場合、第２特別図柄表示装置１２で行われる変動ゲームを指すものとする。第１変動ゲームと第２変動ゲームとは、同時に実行されない。
【００１５】
各特別図柄表示装置１１，１２では、複数種類の特別図柄のうち大当り抽選の抽選結果に対応する１つの特別図柄が変動ゲームの終了に伴い確定停止表示される。特別図柄には、大当りを認識し得る大当り図柄（大当り表示結果）と、はずれを認識し得るはずれ図柄（はずれ表示結果）とがある。大当り図柄が確定停止表示された場合、大当り遊技が付与される。
【００１６】
遊技盤ＹＢには、演出画像を表示する表示領域ＧＨを有する演出表示装置１６が設けられている。演出表示装置１６では、変動ゲームに関連する表示演出が行われ、具体的には、複数種類の飾り図柄（演出図柄）を複数列で変動させる飾り図柄変動ゲームが行われる。
【００１７】
演出表示装置１６では、変動ゲームが開始すると、予め定めた変動方向（縦スクロール方向）に沿って各列の飾り図柄が変動表示される。演出表示装置１６には、各特別図柄表示装置１１，１２の表示結果に応じた図柄組み合わせが確定停止表示される。
【００１８】
遊技盤ＹＢには、遊技球が入球可能な第１始動入賞口２１ａを有する第１始動入賞装置２１が設けられている。第１始動入賞装置２１には、第１始動入賞口２１ａへ入球した遊技球を検知する第１始動センサＳＥ１（図２参照）が設けられている。第１始動入賞口２１ａに入球した遊技球が第１始動センサＳＥ１により検知されたことを契機に、第１変動ゲームの始動条件が付与され得るとともに、予め定めた個数の賞球としての遊技球の払出条件が付与される。
【００１９】
遊技盤ＹＢには、遊技球が入球可能な第２始動入賞口２２ａを有する第２始動入賞装置２２が設けられている。第２始動入賞装置２２には、第２始動入賞口２２ａへ入球した遊技球を検知する第２始動センサＳＥ２（図２参照）が設けられている。第２始動入賞口２２ａに入球した遊技球が第２始動センサＳＥ２により検知されたことを契機に、第２変動ゲームの始動条件が付与され得るとともに、予め定めた個数の賞球としての遊技球の払出条件が付与される。
【００２０】
第２始動入賞装置２２には、普通電動役物ソレノイドＳＯＬ２（図２参照）の作動により第２始動入賞口２２ａの開閉動作を行う開閉部材２２ｂ（普通電動役物）が設けられている。開閉部材２２ｂは、第２始動入賞口２２ａに遊技球が入球不能な（入球が規制された）閉状態と、遊技球が入球可能な（入球が許容された）開状態とに動作する。開閉部材２２ｂは、予め定めた開放条件が成立すると、所定の開放態様で開状態に動作する。
【００２１】
遊技盤ＹＢには、遊技球が入球可能な大入賞口２３ａを有する大入賞装置２３が設けられている。大入賞装置２３には、大入賞口２３ａへ入球した遊技球を検知するカウントセンサＳＥ３（図２参照）が設けられている。大入賞口２３ａに入球した遊技球がカウントセンサＳＥ３により検知されたことを契機に、予め定めた個数の賞球としての遊技球の払出条件が付与される。
【００２２】
大入賞装置２３には、大入賞口ソレノイドＳＯＬ１（図２参照）の作動により大入賞口２３ａの開閉動作を行う大入賞口扉２３ｂが設けられている。大入賞口扉２３ｂは、大入賞口２３ａに遊技球が入球不能な（入球が規制された）閉状態と、遊技球が入球可能な（入球が許容された）開状態とに動作する。大入賞口扉２３ｂは、予め定めた開放条件が成立すると、所定の開放態様で開状態に動作する。
【００２３】
大当り遊技が付与されると、付与された大当り遊技の種類に応じて大入賞口扉２３ｂが開状態に動作され、大入賞口２３ａが開状態となり、大入賞口２３ａへの遊技球の入球が許容される。このため、大当り遊技が付与されると、多数の賞球を獲得できる機会を遊技者に与えることができ、遊技者に有利な有利状態となる。
【００２４】
遊技盤ＹＢには、普通図柄表示装置１５が設けられている。普通図柄表示装置１５では、複数種類の普通図柄を変動させて表示する普通図柄変動ゲームが行われる。以下の説明では、単に「普図」と示す場合、普通図柄を指すものとし、単に「普図ゲーム」と示す場合、普通図柄変動ゲームを指すものとする。普図ゲームと変動ゲームとは、同時に実行できる。
【００２５】
普通図柄表示装置１５では、複数種類の普図のうち普通当り抽選の抽選結果に対応する１つの普図が普図ゲームの終了に伴い確定停止表示される。普図には、普通当りを認識し得る普通当り図柄と、普通はずれを認識し得る普通はずれ図柄とがある。普通当り図柄が確定停止表示された場合、普通当り遊技が付与される。
【００２６】
遊技盤ＹＢには、遊技球が入球（通過）可能な作動ゲート２５が設けられている。作動ゲート２５には、入球（通過）した遊技球を検知するゲートセンサＳＥ４（図２参照）が設けられている。作動ゲート２５を通過した遊技球がゲートセンサＳＥ４により検知されたことを契機に、普図ゲームの始動条件が付与され得る。
【００２７】
普通当り遊技が付与されると、第２始動入賞装置２２の開閉部材２２ｂが開状態に動作され、第２始動入賞口２２ａが開状態となり、第２始動入賞口２２ａへの遊技球の入球が許容される。このため、普通当り遊技が付与されると、第２始動入賞口２２ａに遊技球を入球させやすくなり、第２変動ゲームの始動条件と賞球を容易に獲得できる機会を遊技者に与えることができる。
【００２８】
本実施形態のパチンコ遊技機は、遊技者に有利な遊技状態として、大当り抽選の確率変動状態を備えている。大当り抽選の確率変動状態は、大当り抽選の確率変動状態ではない遊技状態に比して、大当り抽選で大当りに当選する大当り確率が高確率に変動する遊技状態である。確率変動付与条件（所定の大当り遊技の終了など）が成立すると、確率変動状態が付与され、確率変動終了条件（所定回数の変動ゲームの実行など）が成立すると、確率変動状態の付与が終了する。
【００２９】
また、本実施形態のパチンコ遊技機は、遊技者に有利な遊技状態として、高ベース状態を備えている。高ベース状態は、高ベース状態ではない低ベース状態に比して、第２始動入賞口２２ａへ遊技球が入球し易い遊技状態である。高ベース状態は、所謂「電サポ状態」である。高ベース付与条件（所定の大当り遊技の終了など）が成立すると、高ベース状態が付与され、高ベース終了条件（所定回数の変動ゲームの実行など）が成立すると、高ベース状態の付与が終了する。
【００３０】
本実施形態では、第２始動入賞口２２ａに遊技球が入球し難い低ベース状態では、第１始動入賞口２１ａに遊技球を入球させるべく、第１流路Ｘを流下させるように遊技球を発射させる傾向がある。一方、第２始動入賞口２２ａに遊技球が入球し易い高ベース状態においては第２始動入賞口２２ａに遊技球を入球させるべく、第２流路Ｙを流下させるように遊技球を発射させる傾向がある。大当り遊技においても大入賞口２３ａに遊技球を入球させるべく、第２流路Ｙを流下させるように遊技球を発射させる傾向がある。
【００３１】
次に、図２に基づき、パチンコ遊技機の制御構成について説明する。
パチンコ遊技機の機裏側には、主制御基板３０が装着されている。主制御基板３０は、パチンコ遊技機に関する各種処理を実行し、該処理結果に応じて遊技を制御するための各種の制御信号（制御コマンド）を出力する。
【００３２】
パチンコ遊技機の機裏側には、演出制御基板３１が装着されている。演出制御基板３１は、主制御基板３０が出力した制御信号（制御コマンド）に基づき、演出表示装置１６の表示態様（飾り図柄、背景、文字などの表示画像など）の決定に関する処理などを実行し、処理結果に応じて表示内容を制御する。演出制御基板３１は、主制御基板３０が出力した制御信号に基づき、装飾ランプＬＡの発光態様、スピーカＳＰの音声出力態様を制御する。
【００３３】
主制御基板３０には、主制御用ＣＰＵ３０ａ、主制御用ＲＯＭ３０ｂ及び主制御用ＲＡＭ３０ｃが設けられている。主制御用ＣＰＵ３０ａと、主制御用ＲＯＭ３０ｂ及び主制御用ＲＡＭ３０ｃとは接続されている。主制御基板３０と、第１始動センサＳＥ１、第２始動センサＳＥ２、カウントセンサＳＥ３、及びゲートセンサＳＥ４とは接続されている。第１始動センサＳＥ１、第２始動センサＳＥ２、カウントセンサＳＥ３、及びゲートセンサＳＥ４は、主制御用ＣＰＵ３０ａへの検知信号を出力する。主制御基板３０と、各特別図柄表示装置１１，１２、及び普通図柄表示装置１５とは接続されている。主制御用ＣＰＵ３０ａは、各特別図柄表示装置１１，１２、及び普通図柄表示装置１５の表示内容を制御する。主制御基板３０と、大入賞口ソレノイドＳＯＬ１及び普通電動役物ソレノイドＳＯＬ２とは接続されている。主制御用ＣＰＵ３０ａは、大入賞口ソレノイドＳＯＬ１及び普通電動役物ソレノイドＳＯＬ２を制御する。
【００３４】
主制御用ＲＯＭ３０ｂには、パチンコ遊技機に関する各種処理を実行するためのメイン制御プログラムが記憶されている。主制御用ＲＯＭ３０ｂには、変動ゲームが開始してから終了するまでの時間（変動時間）を特定可能とする複数種類の変動パターンが記憶されている。
【００３５】
主制御用ＲＯＭ３０ｂには、各種の判定値が記憶されている。例えば、主制御用ＲＯＭ３０ｂには、大当り抽選で用いられる大当り判定値が記憶されている。確変状態が付与されているときの大当り判定値の個数は、確変状態が付与されていないときの大当り判定値の個数よりも多くなっている。
【００３６】
主制御基板３０では、当り判定用乱数やとして使用される各種乱数が生成される。当り判定用乱数は、大当り抽選に用いる乱数である。なお、各種乱数として使用される乱数は、ハードウェア乱数であってもよいし、ソフトウェア乱数であってもよい。
【００３７】
演出制御基板３１には、演出制御用ＣＰＵ３１ａ、演出制御用ＲＯＭ３１ｂ及び演出制御用ＲＡＭ３１ｃが設けられている。演出制御用ＣＰＵ３１ａと、演出制御用ＲＯＭ３１ｂ及び演出制御用ＲＡＭ３１ｃとは接続されている。演出制御用ＲＡＭ３１ｃには、パチンコ遊技機の動作中に適宜書き換えられる各種情報（乱数値、タイマ値、フラグ等）が記憶される。演出制御用ＣＰＵ３１ａは、各種乱数の値を所定の周期毎に更新し、更新後の値を演出制御用ＲＡＭ３１ｃの設定領域に記憶（設定）して更新前の値を書き換えている。
【００３８】
演出制御用ＲＯＭ３１ｂには、遊技演出を実行させるための演出制御プログラムが記憶されている。演出制御用ＣＰＵ３１ａは、各種制御コマンドを入力すると、当該演出制御プログラムに基づき各種制御を実行する。演出制御用ＲＯＭ３１ｂには、各種の画像データ（飾り図柄、各種背景画像、文字、キャラクタなどの画像データ）が記憶されている。演出制御基板３１と、演出表示装置１６とは接続されている。演出制御用ＣＰＵ３１ａは、各種制御コマンドを入力すると、演出制御プログラムに基づき、演出表示装置１６の表示内容を制御する。演出制御基板３１と、装飾ランプＬＡ及びスピーカＳＰとは接続されている。
【００３９】
ここで、図３〜図６を参照して、パチンコ遊技機に装着されている各種制御基板について詳しく説明する。なお、図３〜図６は、各種制御基板の一例として主制御基板３０が示されている。また、図３〜図６の説明において、上、下、左及び右などの各方向や各形状については、主制御基板３０（基板本体４０）の上面（鉛直方向）から見たときのものとする。
【００４０】
図３に示すように、主制御基板３０は、基板本体４０（基板）と電子部品５０とから構成されている。なお、図３では、電子部品５０のうち一部を示し、それ以外の電子部品を省略している。
【００４１】
基板本体４０は、電子部品５０を固定して配線するための基板である。本実施形態において、基板本体４０は、複数の配線層が形成された多層基板であり、複数の配線層の間で導電させるための複数のビアＶ（図５参照）が形成されている。基板本体４０は、遊技に関する電子部品５０が設置可能な基板である。
【００４２】
電子部品５０は、基板本体４０において所定の設置位置に設置されている。なお、本実施形態において、「設置」とは、基板本体４０に実装することと、基板本体４０に実装された電子部品に装着することとを含めた概念として示す。電子部品５０は、遊技に関する部品である。具体的に、電子部品５０には、遊技に関する制御を行う主制御用ＣＰＵ３０ａと、主制御用ＣＰＵ３０ａが装着可能なソケット５１とが含まれている。電子部品５０には、複数の抵抗が収容された集合抵抗素子５２と、電解コンデンサ５３と、トランジスタ５４ａ〜５４ｄと、抵抗器５５ａ〜５５ｄと、ダイオード５６ａ〜５６ｄとが含まれている。
【００４３】
電子部品５０には、設置方向により特性が異なる電子部品と、設置方向により特性が異ならない電子部品とがある。設置方向により特性が異なる電子部品としては、主制御用ＣＰＵ３０ａと、ソケット５１と、集合抵抗素子５２と、電解コンデンサ５３と、トランジスタ５４ａ〜５４ｄと、ダイオード５６ａ〜５６ｄとが含まれている。設置方向により特性が異ならない電子部品としては、抵抗器５５ａ〜５５ｄが含まれている。
【００４４】
また、図３〜図６に示すように、本実施形態において、基板本体４０には、電子部品５０を誤って設置することを抑制すべく、電子部品５０が設置される設置位置を特定可能な情報など、電子部品５０に関する各種情報が示されている。なお、本実施形態において、基板本体４０における各種情報は、シルク印刷が施されることにより示されているが、これに限らず、例えば、レーザーによる刻印やインクの印刷などが施されることにより示されてもよい。
【００４５】
次に、基板本体４０に設置される各種の電子部品５０と、基板本体４０に示された各種情報とについて具体的な一例をあげて説明する。
図４に示すように、基板本体４０には、透過性を有するソケット５１が実装されている。主制御用ＣＰＵ３０ａは、ソケット５１に装着されている。主制御用ＣＰＵ３０ａは、ソケット５１に装着されることによって、基板本体４０と導電可能に設置されることとなる。
【００４６】
主制御用ＣＰＵ３０ａの一端３６には、半円形状の凹部３７が形成されている。主制御用ＣＰＵ３０ａの一端３６側の角部３８には、切欠き３９が形成されている。また、主制御用ＣＰＵ３０ａと同じように、ソケット５１の一端５１ａにも、半円形状の凹部５１ｂが形成されており、ソケット５１の一端５１ａ側の角部５１ｃにも、切欠き５１ｄが形成されている。
【００４７】
図６（ａ）に示すように、基板本体４０において、実装されるソケット５１の外縁に沿って略矩形状のシルク印刷６１が施されている。特に、シルク印刷６１は、シルク印刷６１の一端６１ａに半円形状の凹部を示す態様（矩形状の内側の半円形状）が施された印刷である。このように、シルク印刷６１は、凹部５１ｂが形成されたソケット５１の一端５１ａがシルク印刷６１の一端６１ａ側となるようにソケット５１を基板本体４０に実装させることを示している。また、シルク印刷６１は、凹部３７が形成された主制御用ＣＰＵ３０ａの一端３６側がシルク印刷６１の一端６１ａ側となるように主制御用ＣＰＵ３０ａをソケット５１に装着させることを示している。
【００４８】
シルク印刷６１は、シルク印刷６１の一端６１ａ側の角部６１ｂに切欠きを示す態様（角部６１ｂの斜線）が施された印刷である。このように、シルク印刷６１は、切欠き５１ｄが形成されたソケット５１の角部５１ｃがシルク印刷６１の角部６１ｂ側となるようにソケット５１を基板本体４０に実装させることを示している。また、シルク印刷６１は、切欠き３９が形成された主制御用ＣＰＵ３０ａの角部３８がシルク印刷６１の角部６１ｂ側となるように主制御用ＣＰＵ３０ａをソケット５１に装着させることを示している。
【００４９】
また、基板本体４０において、シルク印刷６１の外縁を囲うように、シルク印刷６２が施されている。シルク印刷６２は、ソケット５１の外縁よりも大きいサイズで施されている。このシルク印刷６２も、シルク印刷６１と同じように、シルク印刷６２の一端６２ａに半円形状の凹部を示す態様（矩形状の内側の半円形状）が施された印刷である。シルク印刷６２は、シルク印刷６２の一端６２ａ側の角部６２ｂに切欠きを示す態様（角部６２ｂの斜線）が施された印刷である。
【００５０】
シルク印刷６１は、ソケット５１の外縁と略同じ大きさで、ソケット５１の外縁に沿って施されている。このため、基板本体４０にソケット５１が実装され、ソケット５１に主制御用ＣＰＵ３０ａが装着されると、シルク印刷６１が視認し難くなる。その一方で、シルク印刷６２は、ソケット５１の外縁よりも大きいサイズで施されている。このため、シルク印刷６２は、視認し易い位置に施されており、基板本体４０に実装されたソケット５１に主制御用ＣＰＵ３０ａが装着された場合であっても視認可能である。
【００５１】
基板本体４０において、シルク印刷６２の外側には、ソケット５１と主制御用ＣＰＵ３０ａとのピン番号を示すシルク印刷６３と、ソケット５１や主制御用ＣＰＵ３０ａの部品番号（「ＳＣ」、「ＩＣ１」）を示すシルク印刷６４とが施されている。基板本体４０において、シルク印刷６１の内側には、主制御用ＣＰＵ３０ａが装着されることを示すシルク印刷６５（「ＣＰＵ」）が施されている。
【００５２】
なお、本実施形態において、透過性を有するソケット５１が採用されているため、シルク印刷６１及びシルク印刷６５が視認可能な状態で、主制御用ＣＰＵ３０ａをソケット５１に装着することができる。
【００５３】
次に、図４に示すように、基板本体４０には、極性を有する集合抵抗素子５２が実装されている。集合抵抗素子５２の一端５２ａ側において、集合抵抗素子５２の側面には、図示しない印（例えば丸印）が印刷されている。
【００５４】
図６（ｂ）に示すように、基板本体４０において、実装される集合抵抗素子５２の外縁を囲うように、矩形状のシルク印刷６６が施されている。シルク印刷６６は、集合抵抗素子５２の外縁よりも大きいサイズで施されている。特に、シルク印刷６６は、シルク印刷６６の一端６６ａ側に線形状の態様（矩形状の内側の線）が施された印刷である。このように、シルク印刷６６は、印が印刷された集合抵抗素子５２の一端５２ａ側がシルク印刷６６の一端６６ａ側となるように集合抵抗素子５２を基板本体４０に実装させることを示している。また、基板本体４０において、シルク印刷６６の外側には、集合抵抗素子５２の部品番号（「ＲＡ１」）を示すシルク印刷６７が施されている。
【００５５】
次に、図５に示すように、基板本体４０には、円柱形状の電解コンデンサ５３が実装されている。電解コンデンサ５３には、電解コンデンサ５３の負極５３ｂ側が、電解コンデンサ５３の正極５３ａ側とは異なる色となる外装が施されている。
【００５６】
図６（ｃ）に示すように、基板本体４０において、実装される電解コンデンサ５３の外縁に沿って、円形状のシルク印刷６８が施されている。シルク印刷６８は、電解コンデンサ５３の外縁と略同じ大きさで施されている。特に、シルク印刷６８は、円形状の中心に対して対向する一方の位置６８ａに、正極を示す印（「＋」）が施され、他方の位置６８ｂに、シルク印刷６８の外周に沿って円弧形状の態様（円形状の外周に沿った円弧領域）が施された印刷である。このように、シルク印刷６８は、電解コンデンサ５３の正極５３ａ側が位置６８ａ側となり、電解コンデンサ５３の負極５３ｂ側が位置６８ｂ側となるように電解コンデンサ５３を基板本体４０に実装させることを示している。基板本体４０において、シルク印刷６８の外側には、電解コンデンサ５３の部品番号（「Ｃ１９」）を示すシルク印刷６９が施されている。基板本体４０において、シルク印刷６８の内側には、電解コンデンサ５３が実装されることを示すシルク印刷７０が施されている。
【００５７】
次に、図５に示すように、基板本体４０には、トランジスタ５４ａ〜５４ｄが実装されている。トランジスタ５４ａ〜５４ｄのそれぞれは、極性がある素子である。トランジスタ５４ａ〜５４ｄのそれぞれは、円形状の一部に切欠きが形成された形状である。トランジスタ５４ａ〜５４ｄのそれぞれは、切欠きが形成された側から見て、右側からベース、コレクタ、エミッタの順となっている。
【００５８】
図６（ｄ）に示すように、基板本体４０において、実装されるトランジスタ５４ａの外縁に沿って、略円形状のシルク印刷７１が施されている。シルク印刷７１は、トランジスタ５４ａの外縁と略同じ大きさで施されている。特に、シルク印刷７１は、円形状の所定位置７１ａに切欠きを示す態様（円形状の一部を切欠いた形状）が施された印刷である。このように、シルク印刷７１は、切欠きが形成されたトランジスタ５４ａの一端側が所定位置７１ａ側となるようにトランジスタ５４ａを基板本体４０に実装させることを示している。基板本体４０において、シルク印刷７１の外側には、トランジスタ５４ａのピン番号を示すシルク印刷７２が施されている。
【００５９】
次に、図５に示すように、基板本体４０には、抵抗器５５ａ〜５５ｄが実装されている。抵抗器５５ａ〜５５ｄは、設置方向により特性が異ならない電子部品である。
基板本体４０において、実装される抵抗器５５ａ〜５５ｄのそれぞれの外縁を囲うように、矩形状のシルク印刷７３ａ〜７３ｄが施されている。シルク印刷７３ａ〜７３ｄは、抵抗器５５ａ〜５５ｄのそれぞれの外縁よりも大きいサイズで施されている。このように、シルク印刷７３ａ〜７３ｄは、抵抗器５５ａ〜５５ｄのそれぞれを基板本体４０に実装させることを示している。
【００６０】
次に、基板本体４０には、ダイオード５６ａ〜５６ｄが実装されている。ダイオード５６ａ〜５６ｄのそれぞれは、極性がある素子である。ダイオード５６ａ〜５６ｄのそれぞれは、正極側が異なる色となるように構成されている。
【００６１】
図６（ｅ）に示すように、基板本体４０において、実装されるダイオード５６ａを囲うように、矩形状のシルク印刷７４が施されている。シルク印刷７４は、ダイオード５６ａよりも大きいサイズで施されている。特に、シルク印刷７４は、矩形状の内側に、ダイオード５６ａの正極側と外形とを示す態様（矩形状の外形と正極側の線）が施された印刷である。このように、シルク印刷７４は、ダイオード５６ａの正極側がダイオード５６ａの正極側を示す態様が施された側となるようにダイオード５６ａを基板本体４０に実装させることを示している。
【００６２】
このように、シルク印刷６１〜７４は、電子部品５０の設置位置（実装位置及び装着位置）や設置方向（実装方向及び装着方向）を特定可能な情報である。また、シルク印刷６１〜７４には、電子部品５０の形状に関する情報（凹部、切欠きなど）が含まれている。特に、シルク印刷６１〜６４，６６〜７４は、基板本体４０に設置された電子部品５０により隠れない領域に示されている。その一方で、シルク印刷６５は、主制御用ＣＰＵ３０ａにより隠れるものの、主制御用ＣＰＵ３０ａがソケット５１に装着されていなければ視認可能なように示されている。このようなシルク印刷６１〜７４が特定情報に相当する。
【００６３】
また、図５に示すように、基板本体４０には、複数の電子部品５４ａ〜５４ｄ，５５ａ〜５５ｄ，５６ａ〜５６ｄが設置される設置領域Ｒ１を特定可能なシルク印刷８１が施されている。このように、シルク印刷８１は、設置領域Ｒ１を特定可能な情報である。
【００６４】
基板本体４０には、複数の電子部品５４ａ〜５４ｄ，５５ａ〜５５ｄ，５６ａ〜５６ｄのそれぞれの部品番号（「Ｒ１４」、「Ｒ１１」、「Ｒ１０」、「Ｒ１３」、「ＩＣ１２」、「ＩＣ１０」、「ＩＣ９」、「ＩＣ１１」、「Ｄ６」、「Ｄ４」、「Ｄ３」、「Ｄ５」）を示すシルク印刷８２が部品番号領域Ｒ２（部品情報領域）にまとめて施されている。基板本体４０において、部品番号領域Ｒ２を特定可能なシルク印刷８３が施されている。このように、シルク印刷８２，８３は、複数の電子部品５４ａ〜５４ｄ，５５ａ〜５５ｄ，５６ａ〜５６ｄのそれぞれの部品番号と、それら部品番号がまとめて示されている部品番号領域Ｒ２とを特定可能な情報である。
【００６５】
基板本体４０には、設置領域Ｒ１と部品番号領域Ｒ２とを矢印で結んだシルク印刷８４が施されている。このように、シルク印刷８４は、設置領域Ｒ１と部品番号領域Ｒ２とを対応付ける印刷である。特に、複数の電子部品５４ａ〜５４ｄ，５５ａ〜５５ｄ，５６ａ〜５６ｄのそれぞれが密集して設置されている場合であっても、設置領域Ｒ１と離れた領域に部品番号を示すことができる。
【００６６】
基板本体４０において、これらシルク印刷６１〜７４，８１〜８４は、ビアＶ上には施されておらず、ビアＶが形成されていない領域に施されている。特に、複数の電子部品５４ａ〜５４ｄ，５５ａ〜５５ｄ，５６ａ〜５６ｄのそれぞれが設置されている設置位置の近接する領域にビアＶが形成されている場合であっても、シルク印刷８２のように、部品番号をまとめて示すことにより、ビアＶが形成されていない領域に部品番号を示すことができる。
【００６７】
シルク印刷８２は、設置領域Ｒ１における複数の電子部品５４ａ〜５４ｄ，５５ａ〜５５ｄ，５６ａ〜５６ｄの設置位置と同じような領域に部品番号が施されている。具体的に、設置領域Ｒ１において、右列において上から下の順に、抵抗器５５ａ〜５５ｄが、中列において上から下の順に、トランジスタ５４ａ〜５４ｄが、左列において上から下の順に、ダイオード５６ａ〜５６ｄがそれぞれ設置されている。その一方で、部品番号領域Ｒ２において、シルク印刷８２は、右列において上から下の順に「Ｒ１４」、「Ｒ１１」、「Ｒ１０」、「Ｒ１３」と、中列において上から下の順に「ＩＣ１２」、「ＩＣ１０」、「ＩＣ９」、「ＩＣ１１」と、左列において上から下の順に「Ｄ６」、「Ｄ４」、「Ｄ３」、「Ｄ５」とそれぞれ施されている。つまり、設置領域Ｒ１における複数の電子部品５４ａ〜５４ｄ，５５ａ〜５５ｄ，５６ａ〜５６ｄの配置（行及び列）と同じとなるように、部品番号領域Ｒ２における部品番号が配置されている（示されている）。このため、設置領域Ｒ１における複数の電子部品５４ａ〜５４ｄ，５５ａ〜５５ｄ，５６ａ〜５６ｄと、部品番号領域Ｒ２における部品番号との対応が特定可能となる。
【００６８】
このように、シルク印刷８２は、設置領域Ｒ１に設置される複数の電子部品５４ａ〜５４ｄ，５５ａ〜５５ｄ，５６ａ〜５６ｄの位置関係を特定可能なように、その位置関係と対応する領域に示されている。なお、本実施形態において、シルク印刷８１が領域情報に、シルク印刷８２，８３が部品情報に、シルク印刷８４が対応情報にそれぞれ相当する。また、シルク印刷８２は、複数の電子部品５４ａ〜５４ｄ，５５ａ〜５５ｄ，５６ａ〜５６ｄのそれぞれに付されている識別情報に相当する。
【００６９】
以上詳述したように、本実施形態は、以下の効果を有する。
（１）基板本体４０には、電子部品５０が設置される設置位置を特定可能な特定情報（本実施形態ではシルク印刷６１〜７４など）が示されており、特定情報には、電子部品５０の形状に関する情報が含まれている。このため、特定情報から、電子部品５０が設置される設置位置が特定可能となるとともに、電子部品５０の形状に関する情報が特定可能となり、電子部品５０の誤設置を抑制することができる。
【００７０】
（２）特定情報は、電子部品５０が設置される設置方向を特定可能な情報である。このため、特定情報から、電子部品５０が設置される設置方向が特定可能となり、電子部品５０の誤設置を抑制することができる。
【００７１】
（３）特定情報は、基板本体４０に設置される電子部品５０の設置位置の外縁に沿って又は外縁を囲うように示されている。このため、電子部品５０が設置される設置位置が特定し易く、電子部品５０の誤設置を抑制することができる。
【００７２】
（４）特定情報は、電子部品５０に形成された切欠き及び凹部、電子部品５０に施された情報（外装や印刷）などを特定可能な情報である。このため、特定情報から、電子部品５０に形成された切欠き及び凹部や、電子部品５０に施された情報が特定可能となり、電子部品５０の誤設置を抑制することができる。
【００７３】
（５）特定情報の少なくとも一部は、基板本体４０に設置された電子部品５０により隠れない領域に示されている。このため、基板本体４０に電子部品５０を設置した後において、電子部品５０が正しい設置位置及び設置方向で設置されているかの検査が行われる場合などであっても、特定情報が視認可能であり、電子部品５０の誤設置を目視し易く、電子部品５０の誤設置を抑制することができる。
【００７４】
（６）基板本体４０には、複数の電子部品５４ａ〜５４ｄ，５５ａ〜５５ｄ，５６ａ〜５６ｄが設置される設置領域Ｒ１を特定可能なシルク印刷８１が示されている。基板本体４０において、部品番号領域Ｒ２には、設置領域Ｒ１に設置される複数の電子部品５４ａ〜５４ｄ，５５ａ〜５５ｄ，５６ａ〜５６ｄの位置関係を特定可能なように複数の電子部品５４ａ〜５４ｄ，５５ａ〜５５ｄ，５６ａ〜５６ｄのそれぞれに関する部品番号（シルク印刷８２）がまとめて示されている。このため、複数の電子部品５４ａ〜５４ｄ，５５ａ〜５５ｄ，５６ａ〜５６ｄのそれぞれに関する部品番号がまとめて示される場合であっても、その部品番号から、設置領域Ｒ１に設置される複数の電子部品５４ａ〜５４ｄ，５５ａ〜５５ｄ，５６ａ〜５６ｄの位置関係が特定可能である。したがって、複数の電子部品５４ａ〜５４ｄ，５５ａ〜５５ｄ，５６ａ〜５６ｄの誤設置を抑制することができる。
【００７５】
（７）基板本体４０には、部品番号がまとめて示されている部品番号領域Ｒ２があり、部品番号領域Ｒ２において、設置領域Ｒ１に設置される複数の電子部品５４ａ〜５４ｄ，５５ａ〜５５ｄ，５６ａ〜５６ｄの位置関係と対応する領域に部品番号が示されている。このため、複数の電子部品５４ａ〜５４ｄ，５５ａ〜５５ｄ，５６ａ〜５６ｄのそれぞれに関する部品番号がまとめて示される場合であっても、部品番号領域Ｒ２において、部品番号が示されている領域から、設置領域Ｒ１に設置される複数の電子部品５４ａ〜５４ｄ，５５ａ〜５５ｄ，５６ａ〜５６ｄの位置関係が特定可能である。したがって、複数の電子部品５４ａ〜５４ｄ，５５ａ〜５５ｄ，５６ａ〜５６ｄの誤設置を抑制することができる。
【００７６】
（８）基板本体４０には、複数の電子部品５４ａ〜５４ｄ，５５ａ〜５５ｄ，５６ａ〜５６ｄが設置される設置領域Ｒ１と、部品番号がまとめて示されている部品番号領域Ｒ２とを対応付けるシルク印刷８４が示されている。このため、設置領域Ｒ１と離れた領域に部品番号を示すことも可能となる。
【００７７】
なお、上記実施形態は、次のような別の実施形態（別例）にて具体化できる。
・上記実施形態において、透過性を有するソケット５１が採用されたが、これに限らず、例えば、開口が形成された枠形状のソケットが採用されてもよい。つまり、基板本体４０にソケット５１が実装された場合であって、シルク印刷６５などが視認可能であれば好ましい。また、例えば、透過性のないソケット（例えば黒色）が採用されても問題ない。
【００７８】
・上記実施形態において、電子部品５０が設置された場合であっても視認可能な領域にシルク印刷６１〜６４，６６〜７４，８１〜８４が施されたが、これに限らず、例えば、電子部品５０が設置された場合に視認不可能な領域に、シルク印刷６１〜６４，６６〜７４，８１〜８４の一部又は全部が施されてもよい。この場合、電子部品５０が設置された場合であっても視認可能な領域に、電子部品５０の設置位置や設置方向が特定可能なようにシルク印刷が施されることが好ましい。具体的な一例としては、凹部や切欠きなどを示す態様が特定可能なようにシルク印刷が施されることが好ましい。
【００７９】
・上記実施形態において、縦３個、横３個からなる９個の電子部品が設置領域Ｒ１に設置されたが、これに限らず、例えば、８個以下１０個以上の電子部品が設置領域Ｒ１に設置されてもよい。また、例えば、縦横の何れか一方が１個の電子部品であってもよい。この場合、これらの電子部品の位置関係に対応するように部品番号が示されることが好ましい。また、例えば、部品番号について縦書き横書きを問わない。
【００８０】
・上記実施形態において、例えば、任意の基板本体及び任意の電子部品であってもよい。具体的な一例としては、主制御基板３０以外でも、演出制御基板３１であってもよく、例えば、遊技球の払出に関する払出制御基板や各種の中継基板であってもよい。また、例えば、設置方向により特性が異なるコネクタであってもよい。具体的な一例としては、主制御基板３０から演出制御基板３１に制御コマンドを出力するためのコネクタや、外部装置（例えば、遊技機外部の外部表示装置やホールコンピュータなど）に外部信号を出力するためのコネクタ、プログラムの照合用の通信を行うためのコネクタ、電源供給のためのコネクタなどであってもよい。また、例えば、主制御用ＲＡＭ３０ｃなどの記憶領域に記憶された情報をクリアするためのスイッチであってもよい。
【００８１】
・上記実施形態において、部品番号が示されたが、これに限らず、例えば、電子部品の型式番号の全部又は一部、電子部品の種類などの情報であってもよい。また、例えば、電子部品の色（例えば、コネクタの色として「黒」、「赤」、「蛍光黄」など）であってもよい。つまり、電子部品に関する情報であればよい。
【００８２】
・上記実施形態において、設置領域Ｒ１と部品番号領域Ｒ２との対応が特定可能な矢印形状のシルク印刷８４が施されたが、これに限らず、例えば、設置領域Ｒ１と部品番号領域Ｒ２との対応が特定可能な線形状のシルク印刷が施されてもよい。また、例えば、設置領域Ｒ１と部品番号領域Ｒ２とが近接するなど、設置領域Ｒ１と部品番号領域Ｒ２との対応が特定可能であれば、対応を示すシルク印刷が施されなくてもよい。
【００８３】
・上記実施形態において、例えば、複数の変動ゲームのうち一方が優先的に実行されるか、入賞順に実行されるか、複数の変動ゲームが同時に実行されるかも問わない。また、１種類の変動ゲームが実行されてもよい。
【００８４】
・上記実施形態において、主制御基板３０と演出制御基板３１とが配設され、各種機能が搭載されたが、これに限らず、例えば、各種機能の少なくとも一部を異なる基板に搭載されてもよい。また、このような２種類の基板に限らず、例えば、一体的な基板として構成されてもよく、３種類以上の基板として構成されてもよい。例えば、演出制御基板３１を、統括制御基板と表示制御基板とに分けてもよい。
【００８５】
・上記実施形態において、所謂１種のパチンコ遊技機を採用したが、２種、３種、１種２種混合機等、パチンコ遊技機の種類には限られない。また、遊技盤の流下領域に配設された各種役物への遊技球の入球に基づく変動ゲームが実行されるパチンコ遊技機に限らず、例えば、遊技開始操作に応じて変動ゲームが実行されるスロットマシンが採用されてもよい。また、この場合、停止操作に応じて変動ゲームにおける図柄を停止させるスロットマシンか、所定時間の経過により変動ゲームにおける図柄を停止させるスロットマシンかも問わない。また、スロットマシンにおいて、遊技開始操作を契機として当選役（例えば、ベル役、再遊技役等）が決定され、その当選役と停止操作の操作態様とに基づいて図柄が停止表示される。そして、停止表示される図柄が有利な組み合わせとなり易い状態（停止表示される図柄が有利な組み合わせとなる確率が高い状態や、停止表示される図柄が有利な組み合わせとなる停止操作態様が報知される確率が高い状態）が有利状態に相当する。
【００８６】
・上記実施形態において、主制御基板３０をはじめとする制御基板が備えられた遊技機に本発明を適用したが、これに限らず、例えば、主制御基板３０をはじめとする制御基板自体に本発明を適用してもよく、電子部品が設置されていない基板本体自体に本発明を適用してもよい。
【００８７】
次に、上記実施形態及び別例から把握できる技術的思想を以下に追記する。
（イ）前記部品情報には、前記複数の電子部品のそれぞれに定められている識別情報があることを特徴とする。
【００８８】
（ロ）前記基板は、複数の配線層が形成された多層基板であり、前記基板において、前記複数の配線層の間で導電させるためのビア上に前記領域情報及び前記部品情報が示されていないことを特徴とする。
【００８９】
（ハ）遊技に関する制御を行うための基板を備え、前記基板には、電子部品が設置される設置方向を特定可能な特定情報が示されていることを特徴とする。
（ニ）前記設置位置は、前記電子部品が実装される実装位置であることを特徴とする。
【００９０】
（ホ）前記基板に実装されたソケットを備え、前記設置位置は、前記電子部品が前記ソケットに装着される装着位置であることを特徴とする。
【符号の説明】
【００９１】
ＹＢ…遊技盤、３０…主制御基板、３０ａ…主制御用ＣＰＵ、３１…演出制御基板、４０…基板本体、５０…電子部品、５１…ソケット、５２…集合抵抗素子、５３…電解コンデンサ、５４…トランジスタ、５５…抵抗器、５６…ダイオード、６１〜７４，８１〜８４…シルク印刷。
【図１】
0006629676.tif 000002
【図２】
0006629676.tif 000003
【図３】
0006629676.tif 000004
【図４】
0006629676.tif 000005
【図５】
0006629676.tif 000006
【図６】
0006629676.tif 000007